(57)【要約】 【課題】  通信サービス等の代金前払い制のサービスの金額に対応する情報を含む文字情報を、ネットワークを介して安全且つ容易に利用者に販売するためのシステムを提供すること。【解決手段】  本発明に係る文字情報販売システムは、利用者が所望のサービスを選択し、選択されたサービスに関する要求を送出する手段４３と、文字情報格納部４２と、利用者の要求に応じて当該格納部から選択されたサービスの代金に対応する情報を含む文字情報を送出する手段４５と、当該文字情報を受信し印刷する手段４６とを備える。【選択図】  図４
2005327167.tif 000002
【特許請求の範囲】
【請求項１】
通信サービス等の代金前払い制のサービスの金額に対応する情報を含む文字情報を利用者に提供するためのシステムであって、
前記利用者が所望のサービスを選択し、選択されたサービスに関する要求を送出する手段と、
文字情報格納部と、
前記要求に応じて、前記格納部から前記選択されたサービスの代金に対応する情報を含む文字情報を送出する手段と、
前記文字情報を受信し印刷する手段と、
を備えることを特徴とする文字情報販売システム。
【請求項２】
通信サービス等の代金前払い制のサービスの金額に対応する情報を含む文字情報を利用者に提供するためのシステムであって、通信ネットワークを介して１台以上のサーバと１台以上の販売端末とを接続したシステムにおいて、前記サーバが、
前記文字情報を格納する文字情報テーブルと、
前記販売端末からの要求に応じて、前記文字情報テーブルから、前記利用者が所望する文字情報を取り出す文字情報検索部と、
前記取り出された文字情報から、前記販売端末において印刷させるための印刷情報を編集するための情報編集部と、
前記印刷情報を前記販売端末に送信するための通信制御部と、
を備えることを特徴とする文字情報販売システム。
【請求項３】
前記販売端末が、ＣＰＵと、ＨＴＭＬ又はそれに類似する形式のデータを表示するためのプログラムを含む記憶装置と、プッシュボタンを含む入力装置と、ディスプレイを含む表示装置と、データ通信機能を有する通信装置と、印刷装置とを備える多機能固定電話端末であることを特徴とする請求項１又は２記載の文字情報販売システム。
【発明の詳細な説明】
【技術分野】
【０００１】
本発明は、文字情報の販売システムに関するものであり、より詳細には、前払いサービスのプリペイド番号などの金券性のある文字情報を、ネットワークを用いて安全且つ容易に販売するためのシステムに関する。
【背景技術】
【０００２】
利用者に料金の前払いを要求するサービスにおいては、従来、サービス提供事業者が予め発行したプリペイド番号などの前払い金額に応じた文字情報を、販売店を通じて利用者に販売し、利用者がサービス利用時に当該文字情報をサービス固有の入力方法により提示することにより前払い金額分のサービスを利用可能とする方法がとられてきた。このような文字情報を利用した前払いサービスには、主に、国際電話及び国内電話における前払いサービス、携帯電話における前払いサービス、及びインターネット等のサイト上での代金決済のための前払いサービスの３種類がある。
【０００３】
国際電話及び国内電話における前払いサービスでは、利用者は予め通話料金の前払いとして通信事業者から一定桁数（１６〜２０桁程度）の数字からなるプリペイド番号を購入し、国際電話及び国内電話の発信の都度、通信事業者の指定の電話番号にダイヤルし、当該プリペイド番号を電話機から入力（ダイヤル）する。通信事業者側は、入力されたプリペイド番号から、発信者が前払いした金額から既に発信者が利用した通話料金を引いた残高が通話可能な金額であるかを判断し、通話可能であれば、利用者が続けて所望の通信相手の電話番号をダイヤルし通話可能金額の範囲内で通話することを許容する。
【０００４】
携帯電話における前払いサービスでは、利用者は事前に、前払い通信サービス用の電話番号が付与された携帯電話機を携帯電話事業者から入手する。利用者が当該電話機から当該通信事業者の指定システムに接続し、通話料の前払いとして予め購入しておいた一定桁数（１６〜２０桁程度）の数字からなるプリペイド番号を一度入力（ダイヤル）することで、それ以降、サービスによって定められた期間の間、前払い金額に対応する通話時間の範囲内で何度でも通話をすることが可能である。
【０００５】
インターネット等のサイト上での代金決済のための前払いサービスでは、利用者は、予め電子マネー事業者に代金を前払いし、一定の桁数（１６〜２０桁程度）の文字、数字又はそれらの組合せからなるプリペイド番号を入手する。利用者は、当該電子マネーによる支払いを受け付ける商品・サービス販売事業者のＷｅｂサイトにおいて商品やサービスを購入する際、当該プリペイド番号をキーボード等から入力することにより、前払いした金額の範囲内で商品やサービスの代金決済を行うことが可能である。
【０００６】
これらのサービスでは、いずれも、通信事業者、携帯電話事業者、電子マネー事業者といった前払いサービス提供事業者により発行された、前払い金額に応じたプリペイド番号などの文字情報を、前払いサービス提供事業者が用意するカード等の媒体に印字して利用者に販売する手法が用いられてきた。これらのカードは注文に応じて販売店に納品され、販売店はそれらを在庫して利用者に販売する。自動販売機による販売も一般的である。しかし、このような文字情報は前払い金額に応じた価値を有するものであり、文字情報を印字されたカードは有価証券に該当するため、流通過程においては厳重な管理が必要とされていた。また、文字情報の流出による不正使用を防止するため、一般には、カードに印字された文字情報をスクラッチ・シール等で覆い、前払い代金を支払って販売店又は自動販売機からカードを購入した利用者以外が番号を盗み見ることができないようにする加工が行われている。利用者はカード等の購入後、このスクラッチ・シール等を剥がして文字情報を利用することが可能である。
【０００７】
このようなカード等の媒体を用いた従来の文字情報の販売方法では、前払いサービス提供事業者にとっては、媒体への文字情報の印字や媒体の製造・流通・在庫にコストがかかり、媒体流通中に盗難や損傷等の事故にあう可能性があるという問題があった。また、販売店にとっては、カードの在庫管理が必要であり、在庫カードの盗難や在庫切れによる販売機会損失のリスクがあるという問題があった。更に利用者にとっても、販売店の在庫切れのために必要時にカードを購入できないことがあるという問題があった。
【発明の開示】
【発明が解決しようとする課題】
【０００８】
本発明は上記のような従来方式の問題点を解決するために提案されたものであり、本発明は、ネットワークに接続された、プリンタ付きの通信端末を用いてサーバから文字情報をダウンロードし印刷することにより、前払いサービスのプリペイド番号のような金券性のある文字情報を安全且つ容易に販売することができる文字情報の販売システムを提供することを目的とする。
【課題を解決するための手段】
【０００９】
上記の目的を達成するために、請求項１の発明は、通信サービス等の代金前払い制のサービスの金額に対応する情報を含む文字情報を利用者に提供するためのシステムであって、
前記利用者が所望のサービスを選択し、選択されたサービスに関する要求を送出する手段と、
文字情報格納部と、
前記要求に応じて、前記格納部から前記選択されたサービスの代金に対応する情報を含む文字情報を送出する手段と、
前記文字情報を受信し印刷する手段と、
を備えることを特徴とする文字情報販売システムを提供する。
【００１０】
請求項２の発明は、通信サービス等の代金前払い制のサービスの金額に対応する情報を含む文字情報を利用者に提供するためのシステムであって、通信ネットワークを介して１台以上のサーバと１台以上の販売端末とを接続したシステムにおいて、前記サーバが、
前記文字情報を格納する文字情報テーブルと、
前記販売端末からの要求に応じて、前記文字情報テーブルから、前記利用者が所望する文字情報を取り出す文字情報検索部と、
前記取り出された文字情報から、前記販売端末において印刷させるための印刷情報を編集するための情報編集部と、
前記印刷情報を前記販売端末に送信するための通信制御部と、
を備えることを特徴とする文字情報販売システムを提供する。
【００１１】
請求項３の発明は、前記販売端末が、ＣＰＵと、ＨＴＭＬ又はそれに類似する形式のデータを表示するためのプログラムを含む記憶装置と、プッシュボタンを含む入力装置と、ディスプレイを含む表示装置と、データ通信機能を有する通信装置と、印刷装置とを備える多機能固定電話端末であることを特徴とする請求項１又は２記載の文字情報販売システムを提供する。
【発明を実施するための最良の形態】
【００１２】
以下、本発明に係る文字情報販売システムの若干の実施の形態について、その構成と動作を図を参照して詳述する。なお、図面において、同一の又は同様の構成要素には同一の参照数字を付すこととする。
【００１３】
図１は、本発明に係る文字情報販売システムのシステム構成を概略的に示す。同図において、文字情報販売システム１０は、通信ネットワーク１１を介して、複数の販売端末１２Ａ〜１２Ｎとサーバ１３とを相互に接続することにより構成されている。このような文字情報販売システムにおいて、販売店の店員又は前払いサービスの利用者であるユーザは、販売端末１２Ａ〜１２Ｎのいずれかから通信ネットワーク１１を介してサーバ１３にアクセスし、利用者が利用を希望する前払いサービスのサービス種別、商品名及び前払い金額等を指定して、文字情報を要求する。サーバ１３は、サーバ１３に蓄積された文字情報のなかから利用者の要望に対応する文字情報を取り出し、要求を送信した販売端末に送信する。当該文字情報は販売端末の印刷装置により印刷され、前払いサービスの利用者は、販売店にて当該文字情報に対応する前払い代金を支払うことにより、印刷された文字情報を入手することができる。
【００１４】
通信ネットワーク１１は、公衆電話網、閉域ＩＰ通信網、インターネット網、ケーブル網、専用回線網、ＷＡＮ又はＬＡＮなどを含む任意のネットワークであってよい。通信ネットワーク１１がインターネット網である場合、販売端末１２Ａ〜１２Ｎ及びサーバ１３と通信ネットワーク１１との接続には、電話回線接続、ＡＤＳＬ接続、無線接続、光ファイバー接続、ケーブル接続、専用線接続及びＬＡＮ接続を含む任意の接続方式が利用可能である。
【００１５】
それぞれの販売端末１２Ａ〜１２Ｎは、例えば前払いサービスの販売店又はイベント会場等に設置され、文字情報の販売の際に販売店の店員又は前払いサービスの利用者であるユーザにより操作される端末であって、ＣＰＵ１２０と、記憶装置１２１と、入力装置１２２と、表示装置１２３と、通信装置１２４と、印刷装置１２５とを備える。ＣＰＵ１２０は、記憶装置１２１、入力装置１２２、表示装置１２３、通信装置１２４及び印刷装置１２５を制御し、記憶装置１２１は、ユーザが入力装置１２２を利用して入力した情報及びサーバ１３からダウンロードされた情報と、それらの情報を表示装置１２３に表示するための例えば汎用ブラウザ等のプログラムとを記憶する。入力装置１２２はキーボード、マウス、プッシュボタン、タッチパネル等を含み、表示装置１２３はディスプレイ等を含む。通信装置１２４は、販売端末１２Ａ〜１２Ｎを通信ネットワーク１１を介してサーバ１３と通信させる機能を有する。印刷装置１２５は、販売端末１２Ａ〜１２Ｎの記憶装置１２１が保持する情報を印刷するプリンタ等の装置である。
【００１６】
販売端末１２Ａ〜１２Ｎは、少なくとも上記の６つの構成要素を備えるものであれば、本文字情報販売システムの販売端末として利用するために設計された専用装置のような単一の装置により実現されてもよく、又は、例えばプリンタに接続された汎用コンピュータ、携帯情報端末（ＰＤＡ）、携帯電話機等の通常使用されるコンピュータ・システムのような複数の装置により実現されてもよい。
【００１７】
望ましい実施の形態において、販売端末１２Ａ〜１２Ｎは、ＣＰＵと、ＨＴＭＬ又はそれに類似する形式のデータを表示装置１２３に表示するためのプログラムを含む記憶装置と、プッシュボタンを含む入力装置と、ディスプレイを含む表示装置と、モデム又はＡＤＳＬルータ等のデータ通信機能を有する通信装置と、印刷装置とを備える、例えばＮＴＴ東日本及びＮＴＴ西日本のＬモード端末のような、上記６つの装置を具備する小型の多機能固定電話端末により実現される。このような小型の多機能固定電話端末を用いることにより、販売店は、既設の加入電話回線及びわずかな設置スペースを利用して、本発明に係る文字情報販売システムの販売端末を導入することが可能である。
【００１８】
サーバ１３は、ＣＰＵ１３０と、記憶装置１３１と、入出力装置１３２と、通信装置１３３とを備える。記憶装置１３１には、主記憶装置のほかに、例えばフロッピーディスク（登録商標）装置、磁気ディスク装置などの補助記憶装置も含まれる。サーバ１３は物理的に１台のマシンで実現されても、複数台のマシンを用いて実現されてもよい。サーバ１３は、また、汎用コンピュータ上で本発明に係る文字情報販売システムを実現するソフトウェアを動作させるものでもよく、本発明に係る文字情報販売システムに特化された専用のハードウェアであってもよい。
【００１９】
いずれの形態においても、サーバ１３は、機能的に、図２に示すように、文字情報入力部２１と、文字情報テーブル２２と、文字情報検索部２３と、情報編集部２４と、通信制御部２５とを備える。文字情報入力部２１は、前払いサービス提供事業者が発行する文字情報及びそれに関連する情報を含む文字情報データをサーバ１３の文字情報テーブル２２に入力するものであり、サーバ１３のＣＰＵ１３０と記憶装置１３１とにより実現される。
【００２０】
文字情報テーブル２２は、サーバ１３の記憶装置１３１に格納されるデータテーブルであって、文字情報入力部２１により取り込まれた様々なカテゴリの文字情報データを格納する。図３は、文字情報テーブル２２の一例を示す。図３において、文字情報テーブル２２には、ＩＤ３１、サービス種別３２、商品名３３、前払い金額３４、文字情報３５及び販売済みフラグ３６が格納されている。ＩＤ３１は多数の文字情報を文字情報テーブル２２内で一意に識別するための識別番号であり、サービス種別３２、商品名３３及び前払い金額３４は、文字情報３５を提示することにより利用可能となる前払いサービスのサービス種別、商品名及び前払い金額を示す。販売済みフラグ３６は、当該文字情報が既に利用者に販売されたものであるか否かを区別するためのフラグであり、例えば、販売済みの文字情報を格納する行の販売済みフラグ３６は「１」にセットされ、未だ販売されていない文字情報を格納する行の販売済みフラグ３６は「０」にセットされる。図３は文字情報テーブル２２の例としての構成を示すものであり、文字情報テーブル２２には、例えば前払いサービスの利用条件などの他の様々な種類のデータが格納され得る。また、文字情報テーブル２２は、図３のように１つのデータテーブルにより実現されてもよく、又は、例えばサービス種別や商品名ごとの複数のデータテーブルにより実現されてもよい。
【００２１】
文字情報検索部２３は、販売端末１２Ａ〜１２Ｎからの要求に応じて文字情報テーブル２２を検索し所望の文字情報を取り出すものであり、サーバ１３のＣＰＵ１３０により実現される。
【００２２】
情報編集部２４は、販売端末１２Ａ〜１２Ｎの表示装置１２３に表示させる画面情報、又は販売端末１２Ａ〜１２Ｎの印刷装置１２５に印刷させる印刷情報を作成するものであり、サーバ１３のＣＰＵ１３０により実現される。具体的には、販売端末１２Ａ〜１２Ｎの要求に応じて、サーバ１３の記憶装置１３１に予め格納されているＨＴＭＬ文書等の画面情報或いは印刷フォーマット情報、及び文字情報検索部２３により文字情報テーブル２２から取り出された文字情報を編集し、販売端末１２Ａ〜１２Ｎの表示装置１２３に表示させる画面情報又は販売端末１２Ａ〜１２Ｎの印刷装置１２５に印刷させる印刷情報を作成する。
【００２３】
通信制御部２５は、サーバ１３のＣＰＵ１３０により実現され、通信ネットワーク１１を介したサーバ１３と販売端末１２A〜１２Ｎとの通信を制御する。具体的には、情報編集部２４により作成された画面情報又は印刷情報などのデータを通信ネットワーク１１が利用する通信プロトコルに対応するフォーマットに変換して販売端末１２Ａ〜１２Ｎに送信し、販売端末１２Ａ〜１２Ｎから通信ネットワーク１１を介して送信される利用者からの文字情報要求などのデータを受信して、サーバ１３で利用可能なデータのフォーマットに変換する。通信制御部２５は、更に、通信ネットワーク１１を介したサーバ１３と販売端末１２Ａ〜１２Ｎとの通信において、速度制御や誤り制御等を実行する。
【００２４】
図４は、本発明に係る文字情報販売システムにおいて行われる種々の処理手順を示すフロー図である。処理が開始されると、ブロック４１において、一つ又は複数の前払いサービス提供事業者が発行するプリペイド番号などの文字情報と、当該文字情報の提示により利用可能となるサービスのサービス種別、商品名及び前払い金額と、利用可能となるサービスの利用条件などの他の付随的な情報とを含む文字情報データが、文字情報入力部２１を介してサーバ１３に入力される。文字情報データは、例えば、前払いサービス提供事業者により電子データとして作成され、磁気テープやフロッピーディスク（登録商標）その他の記憶媒体に格納されて文字情報管理システムのサーバ１３が設置されるセンターに持ち込まれ、サーバ１３に設置された例えばフロッピーディスク（登録商標）装置などの補助記憶装置を用いてサーバ１３の文字情報入力部２１により読み込まれる。文字情報データは、また、サーバ１３に接続可能な他のコンピュータ・システムからネットワークを介してサーバ１３に送信されてもよい。文字情報入力部２１は、ステップ４２において、入力された文字情報データのサービス種別、商品名及び金額を認識し、それらの情報を文字情報テーブル２２に格納する。
【００２５】
ステップ４３において、ユーザは、販売端末１２Ａ〜１２Ｎのうちのいずれか１つ、例えば販売端末１２Ａを用いてサーバ１３にアクセスし、利用者が希望する前払いサービスのサービス種別、商品名及び前払い金額を指定して、文字情報の要求を送信する。図５〜９は、ステップ４３において販売端末１２Ａの表示装置１２３に表示され得る画面の例であり、図５は、ユーザに所望のサービス種別を選択させる画面の例である。この例において、図５の画面には、「国際電話／国内電話サービス」「携帯電話サービス」「電子マネーサービス」のいずれかをユーザに選択させるためのボックス５１〜５３が表示されている。ユーザは、例えば販売端末１２Ａのプッシュボタンを操作して所望のサービスを示すボックスを選択し、又はタッチパネル上に表示された所望のサービスを示すボックスをタッチすることにより、利用者が希望する前払いサービスのサービスの種別を選択することができる。前払いサービスの購入処理を中止したい場合には「キャンセル」ボタン５４を押下して処理を中止するか、「戻る」ボタン５５を押下して前画面に戻ることが可能である。この例において、ユーザはボックス５１の「国際電話／国内電話サービス」を選択したものとする。
【００２６】
図６は、ユーザに所望の前払いサービスの商品名を選択させる画面の例であり、この例においては、国際電話／国内電話の前払いサービスとして提供されている、「Ａ社プリペイド・サービス」「Ｂ社プリペイド・サービス」「Ｃ社プリペイド・サービス」のいずれかの商品名をユーザに選択させるためのボックス６１〜６３が表示されている。ユーザは図５におけるのと同様の方法で所望の前払いサービスの商品名を選択可能であり、この例においては、ボックス６１の「Ａ社プリペイド・サービス」を選択したものとする。
【００２７】
図７は、ユーザに所望の前払い金額を選択させる画面の例であり、この例においては、Ａ社プリペイド・サービスにおいて前払い可能な金額単位である「１０００円」「３０００円」「５０００円」「７０００円」のいずれかをユーザに選択させるためのボックス７１〜７４が表示されている。ユーザは図５及び図６におけるのと同様の方法で所望の前払い金額を選択可能であり、この例においては、ボックス７１の「１０００円」を選択したものとする。
【００２８】
ユーザによる所望のサービス種別、商品名及び金額の指定が終了すると、図８の例のような確認画面が表示される。確認画面には、ユーザが選択した前払いサービスの商品名８１及び前払い金額８２のほか、当該商品の利用条件８３などが表示され得る。ユーザが図８の確認画面において購入する前払いサービスの情報を確認し、「ＯＫ」ボタン８４を押下すると、販売端末１２Ａからサーバ１３に文字情報要求が送信され、販売端末１２Ａにはサーバ１３と通信中である旨を示す図９の例のような画面が表示される。なお、図５〜９の一連の画面は全て、日本語、英語その他のユーザ指定の言語で表示することが可能である。
【００２９】
この要求を受信すると、サーバ１３では、文字情報検索部２３が文字情報テーブル２２において、ユーザが指定したサービス種別、商品名及び前払い金額に対応する文字情報を検索し、所望の文字情報を取り出した上で、例えば図３に示すような販売済みフラグ３６を販売済みを示す状態に変更して、同一の文字情報が再度販売されないようにする（ステップ４４）。
【００３０】
その後、当該文字情報は、サーバ１３の情報編集部２４にて、販売端末１２Ａの印刷装置１２５で印刷するための印刷情報に編集され、通信制御部２５を介して販売端末１２Ａに送信される（ステップ４５）。販売端末１２Ａは、サーバ１３から文字情報を含む印刷情報を受信し、印刷装置１２５により印刷する（ステップ４６）。印刷に用いられる用紙は、従来の文字情報の販売に用いられていたようなカードである必要はなく、通常のプリンタ印刷に用いられる印刷用紙、ＦＡＸ用紙又はレシート用紙などでよい。文字情報の第三者への流出を防ぐため、文字情報は販売端末１２Ａの表示装置１２３に表示されずに印刷装置１２５により印刷されることが望ましいが、必要に応じ、販売端末１２Ａの表示装置１２３に表示されるようにしてもよい。また、文字情報を要求する際に所望の数量を指定することにより、１回の要求操作で複数の文字情報を同時に購入できるようにしてもよく、所望の言語を指定することにより、文字情報とともに印刷される利用条件等の情報が所望の言語で表示されるようにしてもよい。
【００３１】
この後、前払いサービスの利用者は、従来と同様に販売店のレジ等において前払いサービスの代金を払い込み、販売店の店員から当該文字情報が印刷された書面を受取ることができる。なお、サーバ１３から販売端末に文字情報を送信すると同時に、販売店が利用するＰＯＳシステム等の販売データ管理システムに対して文字情報の販売データを送信することにより、販売拠点における販売データの管理を自動化することも可能である。
【００３２】
以上、本発明に係る文字情報販売システムの若干の実施の形態の構成と動作について説明したが、本発明はこうした実施の形態に限定されるものではない。例えば、上記の実施の形態においては、文字情報の購入代金即ちサービスの前払い代金の決済を、文字情報販売システムを介さず販売店のレジ等を用いて行っているが、販売端末１２Ａ〜１２Ｎにおいて利用者のクレジットカード番号を入力させ、該番号をサーバ１３に送信することにより、文字情報販売システム内で前払い代金の決済までを一括して実行できるようにしてもよい。
【産業上の利用可能性】
【００３３】
以上、若干の実施の形態を用いて詳述したところから理解されるように，本発明に係る文字情報販売システムは、前払いサービスにおけるプリペイド番号のような文字情報を電子データとして予めサーバに格納し、ユーザの要求に応じて販売端末にダウンロードさせ印刷させることで、文字情報を安全且つ容易に販売することが可能である。このような文字情報販売システムを用いることにより、前払いサービス提供事業者にとっては、従来文字情報の販売に用いられてきた、製造・流通・在庫コストのかかるカードが不要となり、媒体流通中の盗難や損傷等の事故のリスクが低減するというメリットがある。販売店にとっては、媒体を購入し保管する必要がないため在庫管理の負担から開放され、更に、多くの種類の前払いサービスを取り扱っても仕入れのための資金負担がないというメリットがある。また、媒体の在庫切れによる販売機会損失のリスクがなくなり、前払いサービスに関する販売データの取得・管理が容易になるというメリットもある。前払いサービスの利用者にとっても、販売店における媒体の在庫切れを心配する必要がなく、更に、文字情報の購入操作及び印刷に所望の言語を利用するよう指定することが可能となる。
【図面の簡単な説明】
【００３４】
【図１】本発明の実施の形態に係る文字情報販売システムの全体像を示す概略図である。
【図２】本発明の実施の形態に係る文字情報販売システムのサーバの有する機能を示すブロック図である。
【図３】本発明の実施の形態に係る文字情報テーブルの例を示す図である。
【図４】本発明の実施の形態に係る文字情報販売システムにより実現される処理を示すフローチャートである。
【図５】本発明の実施の形態に係る文字情報販売システムにおいて、販売端末に表示される画面の例である。
【図６】本発明の実施の形態に係る文字情報販売システムにおいて、販売端末に表示される画面の例である。
【図７】本発明の実施の形態に係る文字情報販売システムにおいて、販売端末に表示される画面の例である。
【図８】本発明の実施の形態に係る文字情報販売システムにおいて、販売端末に表示される画面の例である。
【図９】本発明の実施の形態に係る文字情報販売システムにおいて、販売端末に表示される画面の例である。
【符号の説明】
【００３５】
１０  文字情報販売システム、１１  通信ネットワーク、１２Ａ〜１２Ｎ  販売端末、１３  サーバ、２１  文字情報入力部、２２  文字情報テーブル、２３  文字情報検索部、２４  情報編集部、２５  通信制御部。
【図１】
2005327167.tif 000003
【図２】
2005327167.tif 000004
【図３】
2005327167.tif 000005
【図４】
2005327167.tif 000006
【図５】
2005327167.tif 000007
【図６】
2005327167.tif 000008
【図７】
2005327167.tif 000009
【図８】
2005327167.tif 000010
【図９】
2005327167.tif 000011